(57)【要約】【課題】表示される画像のコントラストが高く、ホワイトバランスのずれが少ない反射型スクリーンを提供する。【解決手段】少なくとも可視波長領域における反射率が略均一の光反射層１１と、透過する光の一部を吸収する光吸収層１２と、光拡散層１３とが順次積層されてなり、プロジェクタからの投射光を反射して画像を表示する反射型スクリーン１０において、前記光吸収層１２の光吸収特性として、緑色波長領域の吸収率が青色波長領域及び赤色波長領域の吸収率よりも大きいことを特徴とする。【選択図】図２
2007334207.tif 000002
【特許請求の範囲】
【請求項１】
少なくとも可視波長領域における反射率が略均一の光反射層と、透過する光の一部を吸収する光吸収層と、光拡散層とが順次積層されてなり、プロジェクタからの投射光を反射して画像を表示する反射型スクリーンにおいて、
前記光吸収層の光吸収特性として、緑色波長領域の吸収率が青色波長領域及び赤色波長領域の吸収率よりも大きいことを特徴とする反射型スクリーン。
【請求項２】
前記光吸収層の光吸収特性は、
（青色波長領域の吸収率）＜（赤色波長領域の吸収率）＜（緑色波長領域の吸収率）
の関係を有することを特徴とする請求項１に記載の反射型スクリーン。
【請求項３】
前記青色波長領域は波長４５０ｎｍ以上、５００ｎｍ未満であり、前記緑色波長領域は波長５００ｎｍ以上、６００ｎｍ未満であり、前記赤色波長領域は波長６００ｎｍ以上、６５０ｎｍ未満であることを特徴とする請求項１に記載の反射型スクリーン。
【請求項４】
前記光吸収層は、顔料を含有した粘着剤からなることを特徴とする請求項１に記載の反射型スクリーン。
【請求項５】
前記光反射層は、表面がＡｌ，Ａｇ,Ｃｒ，Ｔｉ，Ｎｂまたはそれらの合金からなることを特徴とする請求項１に記載の反射型スクリーン。
【請求項６】
前記光反射層上に保護層がコーティングされていることを特徴とする請求項５に記載の反射型スクリーン。
【請求項７】
前記保護層は、ポリエステル樹脂、アクリル樹脂、ウレタン樹脂のいずれかからなることを特徴とする請求項６に記載の反射型スクリーン。
【請求項８】
前記光拡散層は、表面に凹凸を有する光透過性樹脂からなることを特徴とする請求項１に記載の反射型スクリーン。
【請求項９】
前記光拡散層は、スクリーン水平方向と、スクリーン垂直方向とで拡散角が異なることを特徴とする請求項１に記載の反射型スクリーン。
【請求項１０】
前記プロジェクタは、液晶プロジェクタであることを特徴とする請求項１に記載の反射型スクリーン。
【発明の詳細な説明】
【技術分野】
【０００１】
本発明は、反射型スクリーンに関するものである。
【背景技術】
【０００２】
従来ＯＨＰ、スライド、映写機等プロジェクタ用のスクリーンとして、プロジェクタからの光を反射する反射性と、反射された光を拡散するための拡散性とを備えた反射型スクリーンが用いられている。最も一般的なものは黒色の裏打ちシートに光反射性基材として白色のポリ塩化ビニルシートを積層したものである。また、光反射性基材上に反射層としてパール顔料、アルミペースト顔料を含む白色インキをコーティングし、更に必要に応じて、微細な凹凸加工を施すことにより、反射率を改良した反射型スクリーンも用いられてきた。しかし、これらは黒色の暗い映像部と白色の明るい映像部とのコントラスト比の改善に対する配慮がなされていないため、鮮明な画像を得るためには暗室での使用に限られていた。
【０００３】
そこで、天井からの照明光、窓からの光が存在する環境下でも鮮明な画像が得られるようにコントラスト比の向上を図った反射型スクリーンが提案されている。例えば、クレイズと称する光吸収性物質からなるひさしを設けることで、正面からのプロジェクタ光は吸収されないが、入射角度を有する外光は吸収されるスクリーンが提案されている（例えば、特許文献１参照。）。また、光吸収層として黒色繊維状物を用いることで、前記ひさしと同様の効果を狙ったスクリーンが提案されている（例えば、特許文献２参照。）。
【０００４】
【特許文献１】特開平１０−３９４１８号公報
【特許文献２】特開平１０−２８２５７７号公報
【発明の開示】
【発明が解決しようとする課題】
【０００５】
しかしながら、これらはいずれも構造的に複雑であり、根本的な解決には至っていないものであった。また特に、特許文献２では、光拡散層を表層に配置するが、光拡散層上の微細な表面形状が原因となる、Ｐ偏光とＳ偏光といった偏光状態の異なる光に反射率差が発生し、結果として液晶プロジェクタ光の反射色が、通常のスクリーンに比べ、ずれてしまうという問題点があった。
【０００６】
本発明は、以上の従来技術における問題に鑑みてなされたものであり、表示される画像のコントラストが高く、ホワイトバランスのずれが少ない反射型スクリーンを提供することを目的とする。
【課題を解決するための手段】
【０００７】
前記課題を解決するために提供する本発明は、少なくとも可視波長領域における反射率が略均一の光反射層と、透過する光の一部を吸収する光吸収層と、光拡散層とが順次積層されてなり、プロジェクタからの投射光を反射して画像を表示する反射型スクリーンにおいて、前記光吸収層の光吸収特性として、緑色波長領域の吸収率が青色波長領域及び赤色波長領域の吸収率よりも大きいことを特徴とする反射型スクリーンである。
【０００８】
ここで、上述の光吸収特性で解決が可能であるが、更に、ホワイトバランスずれを低減させるには、前記光吸収層の光吸収特性は、（青色波長領域の吸収率）＜（赤色波長領域の吸収率）＜（緑色波長領域の吸収率）の関係を有することが最も望ましい。
【０００９】
また、前記青色波長領域は波長４５０ｎｍ以上、５００ｎｍ未満であり、前記緑色波長領域は波長５００ｎｍ以上、６００ｎｍ未満であり、前記赤色波長領域は波長６００ｎｍ以上、６５０ｎｍ未満であることが好ましい。
また、前記光吸収層は、顔料を含有した粘着剤からなることが好適である。
【００１０】
また、前記光反射層は、表面がＡｌ，Ａｇ，Ｃｒ，Ｔｉ，Ｎｂまたはそれらの合金からなることが好ましい。したがって、Ａｌ，Ａｇ，Ｃｒ，Ｔｉ，Ｎｂまたはそれらの合金からなる金属板、金属フィルム、もしくは基材上にその金属を被覆したものなどいずれのものでもよい。
また、耐腐食性の観点からは、光反射層上に保護層があることが望ましく、樹脂材料のコーティングが好適であり、前記樹脂材料としては例えばポリエステル樹脂、アクリル樹脂、ウレタン樹脂等が挙げられる。
【００１１】
また、前記光拡散層は、表面に凹凸を有する光透過性樹脂からなることが好ましい。
さらに、前記光拡散層は、スクリーン水平方向と、スクリーン垂直方向とで拡散角が異なることが好適である。
【００１２】
また、前記プロジェクタは、液晶プロジェクタであることが最も好ましい。
【発明の効果】
【００１３】
本発明の反射型スクリーンによれば、光拡散層におけるホワイトバランスのずれを光吸収層で修正することにより、ホワイトバランスのずれも少ない画像を表示できる。また、コントラストの高い画像を表示できるため、蛍光灯などの照明が点いた明るい室内でも鮮明な画像として視覚でき、映像機器等のプロジェクタ用のスクリーンとして有用である。また、極めて容易かつ安価に大画面の反射型スクリーンとすることができる。
【発明を実施するための最良の形態】
【００１４】
発明者らは、従来の反射型スクリーンにおいて表示される画像のホワイトバランスがずれる現象の原因を調査したところ、光拡散層に起因していることをつきとめた。すなわち、光拡散層におけるＰ偏光およびＳ偏光の反射スペクトルを見た場合、Ｓ偏光に比べ、Ｐ偏光の反射強度が大きくなる傾向があることに問題があった。
【００１５】
その例を図１に示す。ここでは、表面に凹凸を有する光拡散層単体に正面から入射角０°で可視光を照射し、反射角度５°の反射光についてＰ偏光反射率／Ｓ偏光反射率の比（Ｐ／Ｓ）を測定している。その結果、全波長領域においてＰ偏光反射率／Ｓ偏光反射率の比は１を超えていた。これは、散乱体が形状異方性を持つ場合における、ミー散乱の影響によるものと考えられる。このため、従来の反射型スクリーンにおいては、緑色が強調された画像となっていた。
【００１６】
すなわち、従来の反射型スクリーン、例えばＡｌからなる光反射層と、表面に凹凸を有する光拡散層とが透明粘着層を介して貼り合わされている構成において、プロジェクタ光源から画像光を投射した場合を考えると、まずプロジェクタ光が反射型スクリーンに入射し、光拡散層、透明粘着層を透過し光反射層で適正に反射される。この反射光だけであればホワイトバランスのずれはなく問題はない。しかしながら、これと同時に、光拡散層表面において図１に示す反射スペクトルに基づいてプロジェクタ光の一部が反射されているため、反射型スクリーンとして放射される光は、光反射層での反射光に光拡散層における反射光が重畳されたものとなる。
【００１７】
このとき、プロジェクタ光として、赤色及び青色波長領域の光がＳ偏光、緑色波長領域の光がＰ偏光である液晶プロジェクタを用いた場合には、光の反射成分としてＰ偏光である緑色波長領域の反射がＳ偏光である赤色波長領域および青色波長領域に比べ高くなる関係でホワイトバランスがずれた画像となっていた。
本発明は、この問題を解決するものである。
【００１８】
以下に、本発明に係る反射型スクリーンの構成について説明する。
図２は、本発明に係る反射型スクリーンの構成を示す断面図である。
図２に示すように、反射型スクリーン１０は、光反射層１１と、光吸収層１２と、光拡散層１３とが順次積層された構造を有する。
【００１９】
ここで、光反射層１１は、少なくとも可視波長領域における反射率が略均一となる反射特性を有する。光反射層１１の表面はＡｌ，Ａｇ，Ｃｒ，Ｔｉ，Ｎｂまたはそれらの合金からなることが好ましく、その形態としてはＡｌ，Ａｇ，Ｃｒ，Ｔｉ，Ｎｂまたはそれらの合金からなる金属板、金属箔、もしくはプラスチックフィルムなどの基材上にその金属を被覆したものなどいずれのものでもよい。また、光反射層１１の平坦性は、スクリーンとしての外光の散乱が少なくなりコントラストが向上するため、高いほうが望ましい。
【００２０】
光吸収層１２は、透過する光の一部を吸収するものであり、プロジェクタ光源の赤色光、緑色光、青色光のスクリーンとしての反射量が同等になるように、可視光領域において緑色波長領域の吸収率が他の波長領域と比べ最も大きい関係をもつ光吸収特性を有する。
【００２１】
なお、ここでいう青色波長領域、緑色波長領域、赤色波長領域はプロジェクタ光源の三原色波長領域に対応したものであることが好ましく、例えば、それぞれ波長４５０ｎｍ以上、５００ｎｍ未満、波長５００ｎｍ以上、６００ｎｍ未満、波長６００ｎｍ以上、６５０ｎｍ未満である。
【００２２】
また、各波長領域の吸収率（平均吸収率）相互の関係はつぎの関係であることが好ましい。
（緑色波長領域の吸収率）−（青色波長領域の吸収率）≦３％
（緑色波長領域の吸収率）−（赤色波長領域の吸収率）≦２％
【００２３】
この光吸収層１２は、例えばアクリル系樹脂などの透明樹脂層中に所定の光吸収特性を有する顔料あるいは染料などの色素を単独、または複数をブレンドしたものを分散させたものである。また、カーボンブラックを含有していてもよい。なお、光吸収層１２の光吸収特性は、後述の光拡散層１３の反射特性に応じて色素の種類や添加量を選択することにより、調整するとよい。
【００２４】
また、光吸収層は、顔料を含有した粘着剤からなることが好ましい。これにより、光反射層１１と光拡散層１３とを貼り合わせる粘着剤層と兼用することができる。
【００２５】
光拡散層１３は、例えば表面に微細な凹凸形状がランダムに形成された光透過性樹脂からなる拡散板であり、可撓性を有する。この光拡散層１３により、光反射層１１で反射された光が散乱される。これによって、視野角が大きくなり良い視野特性が得られる。
【００２６】
また、光拡散層１３は、光の出射光が目的の範囲内に収まるようにする特性、すなわち拡散角がスクリーン水平方向（横方向）と、スクリーン垂直方向（縦方向）とで異なる特性（異方性）を有する光拡散面を備えたものであることが好ましい。望ましくは、縦方向の拡散角は輝度半値幅として２０度程度、横方向の拡散角は輝度半値幅として４０度程度がよい。これにより、スクリーンから放出される光が目的の視野内に指向せしめるように制御されるため、視認性のよいスクリーンとすることができる。
【００２７】
さらに、光拡散層１３は、前記縦方向および前記横方向のいずれか一方または両方において、入射角０°で拡散面に照射した光の前記拡散面からの拡散光輝度の角度依存性を測定した時に最大輝度の軸ずれを有しているとよい。あるいは、前記縦方向および前記横方向のいずれか一方または両方において、入射角０°で拡散面に照射した光の前記拡散面からの拡散光輝度の角度依存性を測定した時に最大輝度軸が光拡散層１３主面の法線方向に対して傾いており、該最大輝度軸に対して前記輝度分布が非対称であるとよい。
これにより、スクリーンのどの場所においても放出される光が目的の視野内に指向せしめるように制御されるため、高く均一な輝度やゲインを得ることができ、さらに視認性のよいスクリーンを提供することができる。
【００２８】
なお、これらの特性は、光拡散面として、光拡散層１３主面の法線に対して非対称な凸または凹形状の微細表面要素を有することにより達成される。具体的には、金型に対する研削材の吹き付け角度をすべて９０°未満であるようにしたサンドブラスト処理により形成された金型表面の凹凸形状を転写することにより前記光拡散面を得ることができる。
【００２９】
本発明の反射型スクリーンを使用するとつぎのような効果が得られる。
すなわち、プロジェクタ光源から画像光を投射すると、まずプロジェクタ光が反射型スクリーン１０に入射し、光拡散層１３を透過し、光吸収層１２に入り、該光吸収層１２の光吸収特性（緑色波長領域の吸収率が最も大きい）に応じて入射光の一部は吸収され、残りの光が透過し、その透過した光は光反射層１１において適正に反射される。さらに、この反射光は再度光吸収層１２に入り、前記光吸収特性に応じて反射光の一部は吸収され、残りの光が透過し、この透過した光は光拡散層１３で散乱放射される（反射光Ａ）。一方、これと同時に、光反射層１３表面において図１に示す反射スペクトルに基づいてプロジェクタ光の一部が反射されており（反射光Ｂ）、反射型スクリーン１０として放射される光は、反射光Ａと反射光Ｂとが重畳されたものとなり、反射光Ａにおける色度バランスが調整されていることから、最終的にホワイトバランスがとれた画像となる。
【００３０】
また、プロジェクタ光は反射型スクリーン１０に対してほぼ垂直に入射し、外光は該反射型スクリーン１０にある角度をもって入射する。そのため、本発明の反射型スクリーン１０では、外光が光吸収層１２を通る光路よりも、プロジェクタ光が光吸収層１２を通る光路が小さくなるため、外光とプロジェクタ光との間で光選択性が生じ、表示される画像のコントラスト比を従来よりも向上させることができる。また光拡散層１３の縦方向の拡散角を見た目の違和感のない範囲内で収めることにより、プロジェクタ装置からの投射光とは光拡散層１３への入射角が異なる外光の影響を低減させることができ、表示される画像のコントラストをより向上させることができる。
【００３１】
次に、本発明の反射型スクリーンを実際に用いる上での、実施の形態について説明する。
反射型スクリーンの実施形態としては、主に反射型スクリーンをロール状に巻き取った状態で保管しておき、その反射型スクリーンを使用する際にはロールから巻き出して懸架する態様（巻き取りスクリーン）と、枠フレームに反射型スクリーンを張架する態様（フレームスクリーン）とがある。以下、それぞれの場合について説明する。
【００３２】
（巻き取りスクリーン）
従来、巻き取りスクリーンは、ガラス布に樹脂をコーティングし、その上に酸化チタン等を塗布した構造のものを単にそのまま巻き取るようにしたものであった。しかるに、本発明の反射型スクリーンはプラスチックフィルム上に成膜してつくられるため１枚もので作製できるスクリーンサイズに制約があることから巻取りに起因するプラスチックの塑性流動にまつわる技術課題が発生することがあった。
【００３３】
すなわち近年、ディスプレイの大型化にともない映写用のスクリーンとしてもこれまで以上に大きいサイズのものが求められようになってきている。例えば家庭用では１６：９対角８０インチから１２０インチが求められるようになってきている。ここで、１６：９の対角８０インチのスクリーンでは画像が投影される領域である映写部は縦９９６ｍｍ、横１７７１ｍｍであり、１６：９対角１００インチのスクリーンでは映写部は縦１２４５ｍｍ、横２２１４ｍｍであり、１６：９対角１２０インチのスクリーンでは映写部は縦１４９４ｍｍ、横２６５６ｍｍである。
【００３４】
また映写用巻き取りスクリーンは、この映写部以外に巻き取り方向に通常、上部黒マスク部と下部黒マスク部といわれるものを具備している。上部黒マスク部は長さとして通常５００ｍｍから７００ｍｍ程度以上が、下部黒マスク部は１００ｍｍ程度が必要とされている。
【００３５】
以上のことより、１２０インチの巻き取りスクリーンを１枚のプラスチックフィルムで製造するためには少なくとも縦２０９４ｍｍ、横２６５６ｍｍのサイズが必要になってくる。このようなスクリーンフィルムを安価に提供するためにはプラスチックフィルムロールによる連続生産が通常行われているが、ロールで加工する設備の最大幅はおおむね１８００ｍｍ程度であることから、このようなサイズのフィルム幅（短い方の縦２０９４ｍｍを幅方向としても）をロールにてスリット、成膜、貼合等をすることは設備上困難であり、映写特性（ホワイトバランス、明環境下におけるコントラスト等）に優れた巻き取りスクリーンの産業化を難しくしていた。
【００３６】
そこで、発明者らはまず映写部のみをプラスチックロールにて連続生産した反射型スクリーンとし、上部及び下部黒マスク部は後で接合する構成を検討した。この場合、対角１２０インチサイズおいても縦の幅は１４９４ｍｍであり連続生産が可能となるが、接合部の段差が巻き取り時に映写部に転写し映写特性に悪影響を及ぼすことが判明した。本発明はこれを解決するためになされたものであり、その構成を以下に説明する。
【００３７】
図３は、本発明の反射型スクリーンを適用した巻き取りスクリーンの第１の実施の形態における構成を示す概略図である。図３（ａ）は巻き取りスクリーン使用する際の正面図、図３（ｂ）はその縦断面図である。
巻き取りスクリーン１００は、前述した本発明の反射型スクリーンである機能部１０と該機能部１０と接合部１５で接合されており巻き取り軸１７から機能部１０までをつなぐスカート部１４とからなるスクリーンシートと、該スクリーンシートを保護する保護布１６とを備え、前記スクリーンシート及び保護布１６が巻き取り軸１７を同一軸として巻き取られるようになっている。また、前記スクリーンシートの下端（機能部１０の下端）、保護布１６の下端それぞれには、巻き取り軸１７から巻き出されたときにそれぞれが撓まないようにウエイトバー１８ａ，１８ｂが具備されている。ウエイトバー１８ａ，１８ｂは、一個又は複数のウエイトの組合せからなるものである。また、機能部１０はその上部・下部及び側面部の４辺に黒色マスク１０Ｂを有している。
【００３８】
図４に、機能部１０とスカート部１４との接合状態を示す。ここでは、機能部１０とスカート部１４とを重ね合わせ接着シート等で接合するタイプ-１（図４（ａ））、機能部１０の端面とスカート部１４の端面とを突合せ、その両シート端をまたいで接着テープ１５ａで接合するタイプ-２（図４（ｂ））、機能部１０が複数枚のシートから構成されている場合は段差を設けてそこに接着シートでスカート部１４を接合するタイプ-３（図４（ｃ））のいずれかを選択するとよい。このとき、このスクリーンシートが巻き取り軸１７に巻かれたときにこの接合部１５の段差が機能部１０の表面に塑性流動を起こさせ映写画質に悪影響がでないように段差の量（厚さ）を少なくすることが求められる。ただし、この接合の工夫だけでは接合部１５の段差の映写画質への影響を完全に抑制することはできず、この接合部１５の工夫とともに巻き取り軸１７に当該スクリーンフィルムと保護布１６を同時に巻きつけることでその影響を軽減することができるようになる。
【００３９】
巻き取りスクリーン１００は次の手順で製造するとよい。
（Ｓ１１）図２に示す反射型スクリーン１０の構成のものをスクリーンフィルム機能部としてロール１０Ｃで生産する（図５（ａ））。
（Ｓ１２）ついで、ロール１０Ｃを所定の幅に切断し機能部１０とする（図５（ｂ））。
（Ｓ１３）さらに、機能部１０の上部・下部及び側面部に黒マスク１０Ｂを印刷する。
（Ｓ１４）この黒マスク１０Ｂを印刷した機能部１０を黒色のスカート部１４と接合してスクリーンシートとする（図５（ｄ））。
（Ｓ１５）スクリーンシートの裏面側に保護布１６を配置し、スカート部１４端部及び保護布１６の端部に巻き取り軸１７を取り付け、機能部１０端部及び保護布１６端部それぞれにウエイトバー１８ａ，１８ｂを取り付けて、巻き取りスクリーン１００を完成する。
【００４０】
なお、機能部１０下部の黒マスク１０Ｂについては黒色下部スカート部を接続してもよい。あるいは、図６に示すように、スカート部１４を黒色とすることにより黒マスク代用とし、図３における黒マスク１０Ｂを省略した構成としてもよい。
【００４１】
図７は、本発明の反射型スクリーンを適用した巻き取りスクリーンの第２の実施の形態における構成を示す概略図である。図７（ａ）は巻き取りスクリーン使用する際の正面図、図７（ｂ）はＡ−Ａ´における縦断面図である。
巻き取りスクリーン２００は、前述した本発明の反射型スクリーンである機能部１０と該機能部１０と接合部１５で接合されており巻き取り軸１７から機能部１０までをつなぐスカート部１４とからなるスクリーンシートと、該スクリーンシートを保護する黒色の布であって機能部１０以外の領域のおもて面（正面）に配置される保護布２６とを備え、前記スクリーンシート及び保護布２６が巻き取り軸１７を同一軸として巻き取られるようになっている。また、前記スクリーンシートの下端（機能部１０の下端）、保護布２６の下端それぞれには、巻き取り軸１７から巻き出されたときにそれぞれが撓まないようにウエイトバー１８ａ，１８ｂが具備されている。なお、機能部１０とスカート部１４の接合方法は第１の実施の形態と同じである。
【００４２】
保護布２６は、接合部１５の段差の影響を軽減するために柔軟性が高く厚いもので段差を吸収するか又は段差の影響を次の層のスクリーンシートに及ぼさない固いもののどちらかとするとよい。また、保護布２６は、合成糸例えばＰＥＴ、ナイロン、アラミド、ポリイミドの糸を使って編まれた織物又は編物に黒色に染色し、難燃処理を施したものを使用する。あるいはガラスクロスの織物に樹脂、例えば塩ビ、ＰＥＴ、ウレタン等をコーティングし、着色したものを使用することも可能である。
【００４３】
これにより、第１の実施の形態と同様に、スクリーン巻き取り時の接合部１５の段差による機能部１０への表面を軽減することができ、機能部１０周辺の黒として印刷の黒マスクよりもより高品質とすることができる。
【００４４】
巻き取りスクリーン２００は次の手順で製造するとよい。
（Ｓ２１）図２に示す反射型スクリーン１０の構成のものをスクリーンフィルム機能部としてロール１０Ｃで生産する（図８（ａ））。
（Ｓ２２）ついで、ロール１０Ｃを所定の幅に切断し機能部１０とする（図８（ｂ））。
（Ｓ２３）機能部１０をスカート部１４と接合してスクリーンシートとする（図８（ｃ））。
（Ｓ２４）黒色の保護布ロール２６Ｃ（図８（ｄ））を所定寸法に切断し保護布２６とする（図８（ｅ））。
（Ｓ２５）保護布２６の上側の所定位置にスリットＳ１、下側の所定位置にスリットＳ２をあける（図８（ｆ））。
（Ｓ２６）保護布２６の裏面側からスクリーンシートの機能部１０端部をスリットＳ１、スリットＳ２の順で通して、機能部１０がおもて面に出るようにし、スカート部１４端部及び保護布２６の端部に巻き取り軸１７を取り付け、機能部１０端部及び保護布２６端部それぞれにウエイトバー１８ａ，１８ｂを取り付けて、巻き取りスクリーン２００を完成する。
【００４５】
（フレームスクリーン）
張り込み型のプロジェクタースクリーン（フレームスクリーン）において、４辺を囲むフレームにスクリーン幕を取り付ける方法として、金属からなるパイプフレームとスクリーン幕との間をひもにより連続的にしばりながら張力を加えて作るものがある。しかしながら、ひもによる張込みでは順次端から張力を掛ながらしばらなければならないため、しばり方により張力の差が生じスクリーン幕に部分的なたるみが生じるなどの欠点があった。又、経年変化や設置環境の温度変化によるスクリーン幕の弛みを防止できないという欠点があった。
【００４６】
この欠点を克服する為に、特開平４-４０４３９号公報等に示される様に引張りコイルバネを用いた例が知られている。その一例の全体図を図９に、拡大図を図１０に示す。ここでは金属からなり４辺を囲むフレーム９１とスクリーン幕３０の間に引張りコイルバネ９２を引掛けて張力を加えつつフレーム９１にスクリーン幕３０を取り付けている。引張りコイルバネ９２を使用することで張込み時に部分的な弛みが生じないようにし、経年変化や設置環境の温度変化によるスクリーン幕（反射型スクリーン１０）の弛みを防ぐ事は原理的には可能であるが、スクリーン幕３０の寸法変化量に対して張力変化の少ない性能を得るにはバネ定数とバネ長の設定を適切にする必要がある。バネ定数を小さくすることでスクリーン幕３０の寸法変化に対して比較的張力変化を少なくする事ができるが、一方で引張りコイルバネ９２のバネ長が長くなるためバネ掛のためのスペースを大きくとる必要が生じ、フレームの幅も大きなものにする必要があった。そのため、商品デザインの制約となる、プロジェクタースクリーンの外形寸法も大きな物となり設置スペースの自由度が制約される、軽量フレームの実現が難しいといった問題を有していた。
【００４７】
発明者らは、前記問題を踏まえて、経年変化や環境温度変化に対しても安定的な張力が得られると同時に、反射型スクリーンの良好な平面性を安定的に保ち、比較的小型のフレームを可能ならしめるフレームスクリーンを実現した。その構成を以下に説明する。
【００４８】
図１１、本発明の反射型スクリーンを適用したフレームスクリーンの構成を示す概略図であり、フレームスクリーンを裏面から見た全体図である。
フレームスクリーン３００は、金属からなり４辺を囲むフレーム３１と本発明の反射型スクリーン１０を用いたスクリーン幕３０の間に捩りコイルバネ３２を引掛けて張力を加えつつフレーム３１にスクリーン幕３０を取り付けたものである。ここで、スクリーン幕３０はフレーム３１の少なくとも1辺に捩りバネ３２を用いて展張されている。
【００４９】
ここで、スクリーン幕３０は、本発明の反射型スクリーン１０からなり、その外周に張込みのための穴が設けられ、該穴周辺を補強する為のハトメ３０ａが取付けられている。
【００５０】
フレーム３１は、押出成形あるいは引抜成形により作製されたアルミフレームであり、例えば図１２に示すような２種類の直線形状のフレーム部材３１Ａ，３１Ｂと、コーナー部３１Ｃとを連結して組み立てられるものである。
【００５１】
捩りコイルバネ３２はピアノ線、硬鋼線、バネ用ステンレス等からなり、図１３に示す形状を有している。
【００５２】
図１４にフレームスクリーン３００の拡大図を示す。図１４（ａ）はフレームスクリーン３００のコーナー部の拡大図であり、図１４（ｂ）はフレーム断面図である。
スクリーン幕３０に設けられたハトメ３０ａとフレーム３１は捩りコイルバネ３２を介して連結されており、捩りコイルバネ３２のうち、ハトメ側のバネ端３２ａはスクリーン裏側に向かって延設され、スクリーン裏側からハトメに引掛ける構造としている。また捩りコイルバネ３２の他の一端３２ｂはコイルから略直線状に延設されている。またフレーム３１にはバネのコイル部分が入る第１の溝３１ａが形成されており、捩りコイルバネ３２の前記他の一端３２ｂと当接する当接壁Ａが設けられている。この当接壁Ａにはさらに反スクリーン側のコイル端延設部３２ｃと係合する第２の溝３１ｂが設けられている。
【００５３】
つぎに、フレームスクリーン３００の組立て手順を説明する。
（Ｓ３１）先ず、図１２のようにフレーム３１を組立てた後にスクリーン幕３０を所定の向きに仮置きする。
（Ｓ３２）次に捩りコイルバネ３２をフレーム３１の第１の溝３１ａに挿入する。なお、コイル部の中心軸がスクリーン幕３０平面に対して略垂直となる如く捩りコイルバネ３２を設置するとよい。
（Ｓ３３）ついで捩りコイルバネ３２のコイル側バネ端３２ａを順次ハトメ３０ａに引掛けていく。
このとき、反フレーム側のバネ端３２ｂはハトメ部３０ａに生じるバネ力の反力によってフレーム３１上の当接壁Ａに押圧される。このように当接壁Ａへの押圧力によってもバネ３２の脱落は防止できるが、第２の溝３１ｂにバネ端３２ｃを係合・押圧することにより、バネの脱落をさらに確実に防ぐ事ができる。
以上のように、フレーム３１にスクリーン裏側からバネ掛け可能な如く端部が延設されているので、作業性にも優れた構造とすることができる。
【００５４】
ここで、スクリーン幕３０は、温度、湿度の変化によって寸法が変化する。ＰＥＴフィルムを基材に使用した場合は、１０℃の変化により対角寸法１００インチ１６：９スクリーンの場合に約１．８ｍｍの変化となる。このような寸法変動に加え、経年変化によるスクリーン幕の伸び、ハトメ加工時の穴位置精度に対しても安定的なスクリーン展張力を得るには、所望の最低限のバネ力を得た上で、バネ定数（バネ長変化量とバネ力変化の比）をできるだけ小さく設計する事が望ましい。従来より使用されている引張りバネでは、バネ定数を小さくすると、張込み状態でのバネ長が長くなってしまう。
【００５５】
本実施形態では、コイルバネ３２の捩りによってバネ力によって発生させる為、コイル部からハトメ引掛け部までの距離及びコイル部の寸法を適切に設計する事により、所望の最低限のバネ力を得た上で、バネの大きさを殆ど変化させる事無く比較的小さいバネ定数を実現することができる。
したがってその結果、スクリーンの寸法変化に対して比較的安定した展張力を得られると共に、バネ部寸法を大きく取ることなくフレーム背後に展張機構を設置することが可能となる。ここでは例として、ＰＥＴフィルムをベースフィルムとしたスクリーン幕を挙げたが、本フレームスクリーンは、係るスクリーン材質に限定されるものではなく、樹脂を含浸させた布状スクリーン幕等にも適用し得る。
【００５６】
また、本フレームスクリーンには以下のような特徴がある。
・バネ掛け位置の変動による展張力の変化を小さく出来るので、温湿度変化によるスクリーン寸法変化に対する展張力変動を小さく出来、良好な平面性を維持することができる。
・スクリーン幕へのバネ掛け穴加工時の位置のバラツキによる展張力のバラツキが小さくなるため、加工作業性を向上させつつ安定した平面性を得る事ができる。
・スクリーンフィルムに対して所定の張力が生じる捩り位置を中心としてバネ掛け状態を実現する事が出来る為、フレーム幅を変更することなくスクリーン材質の特性に合った展張力を加える事ができる。
・広いフレーム幅が品質面からは必要とされない為、フレームのデザイン上の制約が少なくなり意匠性を高めることができる。
・図１５に示すように本フレームスクリーン３００は従来のフレームスクリーン９００よりもフレームサイズを小さくすることができるので製品の外形寸法が小さくなり、設置スペースを小さくすることができる。
これにより設置の自由度が増し、最適視聴位置に設置しやすくなる。
・スクリーン幕裏側からバネ掛け可能としたため、張込み時の作業性が良好である。
・フレームを小型軽量にすることができ、材料コストの削減を図ることができる。
【００５７】
フレームスクリーンの他の実施の形態を図１６に示す。
本実施形態では捩りコイルバネ３２のバネ端３２ｂと当接する壁をスクリーン中央側としている（当接壁Ｂ）。それ以外は図１４に示したものと同じである。本実施形態によっても図１４に示したものと同じ効果が得られる。
【実施例】
【００５８】
以下、本発明の反射型スクリーンを実施した例を説明する。
（１）反射型スクリーンサンプル
つぎの手順で本発明の反射型スクリーン１０を作製した。
（Ｓ４１）ＰＥＴフィルム（厚み１８８μｍ）上にスパッタリング法により膜厚１００ｎｍのＡｌを成膜し、光反射層１１とする。
（Ｓ４２）ＰＥＴフィルム（厚み１００μｍ）上に紫外線硬化型樹脂を均一にコーティングし、この樹脂コーティング層にサンドブラスト法にて凹凸を形成した型を押し付ける。ついで紫外線を照射して樹脂コーティング層を硬化させた後、型を外してＰＥＴフィルム上に型の凹凸が転写された樹脂層を形成し、これを光拡散層１３とする。なお、拡散角はスクリーン縦方向２０度、スクリーン横方向４０度とした。
（Ｓ４３）粘着剤層中へ顔料を分散させた光吸収層１２を用意する。このとき顔料添加量は前記光拡散層１３の反射特性に応じて設定し可視光領域の光吸収特性を調整した。表１に、今回使用した光吸収層１２の光吸収特性を示す。ここでは、青色波長領域（波長４５０ｎｍ以上、５００ｎｍ未満）、緑色波長領域（波長５００ｎｍ以上、６００ｎｍ未満）、赤色波長領域（波長６００ｎｍ以上、６５０ｎｍ未満）それぞれの平均吸収率を示している。
（Ｓ４４）光反射層１１のＡｌ成膜面と光拡散層１３の平坦面とを向かい合わせる形で、光吸収層１２により光反射層１１と光拡散層１３とを貼りあわせて、反射型スクリーン１０を完成する。
【００５９】
【表１】
2007334207.tif 000003
【００６０】
比較例として、前記光吸収層１２に代えて、アクリル系透明粘着剤テープ（巴川製紙製、ＴＤ０６Ａ）を用い、それ以外は実施例と同じ条件で反射型スクリーンを作製した。
【００６１】
（２）評価方法
反射型スクリーンサンプルの正面にＵＨＰランプを光源としたプロジェクタ（ソニー（株）製ＶＰＬ−ＨＳ５０）を配置し、このプロジェクタから該スクリーン中央部に白色像を投射し、スクリーン中央部からの反射スペクトルを分光光度計（日本分光製、Ｖ５６０）にて測定した。また、スクリーン中央部からの反射光のホワイトバランス（ｘｙｚ表色系色度図におけるｘｙ色度座標）を分光測色計（Photo Research社製、ＰＲ６５０）にて測定した。
また、前記配置に加えて、反射型スクリーンサンプルの斜め上方にハロゲン光源を配置し、プロジェクタからスクリーン中央部に白色光を投射すると同時にハロゲン光源から外光としてハロゲン光を投射し、スクリーン中央部からの反射光の反射輝度を前記分光測色計にて測定した。ここで、コントラスト（＝白レベル／黒レベル）は、プロジェクタ光源の反射輝度とハロゲン光の反射輝度の和をハロゲン光の反射輝度で除して求めた。
なお、コントラスト及びホワイトバランスの評価基準として、標準拡散板（Labspere社のスペクトラロン反射ターゲット）を使用した。
【００６２】
表２に、以上の結果を示す。
比較例ではＰ偏光反射率／Ｓ偏光反射率の比が１．０３程度となっていることから、表示された画像が黄色味を帯びる傾向が認められた。
表２において、実施例のホワイトバランスとしてｘｙ色度座標について、標準拡散板と比較した場合、比較例よりもよく一致することが分かった。
また、表２において、コントラストとして、標準拡散板、比較例、実施例の順で向上していることが分かった。比較例のコントラストが標準拡散板よりも向上しているのは、光拡散層のスクリーン上下方向の拡散角が狭いことによるものである。また、実施例のコントラストが比較例よりも向上しているのは、光吸収層による光吸収によるものである。
【００６３】
【表２】
2007334207.tif 000004
【図面の簡単な説明】
【００６４】
【図１】光拡散層のＰ偏光反射率／Ｓ偏光反射率の比を示した図である。
【図２】本発明に係る反射型スクリーンの構成を示す断面図である。
【図３】本発明の反射型スクリーンを用いた巻き取りスクリーンの第１の実施の形態の構成を示す図である。
【図４】巻き取りスクリーンにおける接合部の構成を示す断面図である。
【図５】第１の実施の形態の巻き取りスクリーンの製造工程図である。
【図６】第１の実施の形態の巻き取りスクリーンの変形例を示す図である。
【図７】本発明の反射型スクリーンを用いた巻き取りスクリーンの第２の実施の形態の構成を示す図である。
【図８】第２の実施の形態の巻き取りスクリーンの製造工程図である。
【図９】従来のフレームスクリーンの全体構成を示す図である。
【図１０】従来のフレームスクリーンの構成を示す拡大図である。
【図１１】本発明の反射型スクリーンを用いたフレームスクリーンの全体構成を示す図である。
【図１２】フレームスクリーンに用いるフレームの構成を示す図である。
【図１３】フレームスクリーンに用いる捩りコイルバネの構成を示す図である。
【図１４】本実施の形態のフレームスクリーンの構成を示す拡大図である。
【図１５】本実施の形態のフレームスクリーンと従来のフレームスクリーンの外径寸法を比較した図である。
【図１６】他の実施の形態のフレームスクリーンの構成を示す拡大図である。
【符号の説明】
【００６５】
１０・・・反射型スクリーン（機能部）、１０Ｂ・・・黒マスク、１０Ｃ・・・反射型スクリーンロール、１１・・・光反射層、１２・・・光吸収層、１３・・・光拡散層、１４，２４・・・スカート部、１５・・・接合部、１５ａ・・・接着シート、１６，２６・・・保護布、１７・・・巻き取り軸、１８ａ，１８ｂ・・・ウエイトバー、２６・・・保護布ロール、３０・・・スクリーン幕、３０ａ・・・ハトメ、３１，９１・・・フレーム、３１Ａ，３１Ｂ・・・フレーム部材、３１Ｃ・・・コーナー部材、３２・・・捩りコイルバネ、３２ａ，３２ｂ，３２ｃ・・・バネ端、９２・・・引張りコイルバネ、１００，１００´，２００・・・巻き取りスクリーン、３００，９００・・・フレームスクリーン、Ａ，Ｂ・・・当接壁、Ｓ１，Ｓ２・・・スリット
【図１】
2007334207.tif 000005
【図２】
2007334207.tif 000006
【図３】
2007334207.tif 000007
【図４】
2007334207.tif 000008
【図５】
2007334207.tif 000009
【図６】
2007334207.tif 000010
【図７】
2007334207.tif 000011
【図８】
2007334207.tif 000012
【図９】
2007334207.tif 000013
【図１０】
2007334207.tif 000014
【図１１】
2007334207.tif 000015
【図１２】
2007334207.tif 000016
【図１３】
2007334207.tif 000017
【図１４】
2007334207.tif 000018
【図１５】
2007334207.tif 000019
【図１６】
2007334207.tif 000020